(57)【要約】 【課題】  柔軟でしかも腰折れすることがなく、乾型の粉耳と称する耳垢は勿論、外耳道にこびりついた湿型の飴耳と称する耳垢をも簡単な操作で安全且つ衛生的に吸い取ることができる耳垢吸引器用ノズルを提供する。【解決手段】  一端側を吸引器本体３の吸引管部４１に嵌着する大径取付筒部２１とし、他端側を耳穴５に挿入する小径の吸い込み筒部２２とした軟質チューブ状の耳垢吸引器用ノズル２であって、上記吸い込み筒部２２の先端側の外周面に、所定長さを有する複数の歯１Ａ、１Ｂから成る軟質歯車状耳垢掻き出し部１を配備したことを特徴とする。【選択図】          図１
0003137475.tif 000002
【実用新案登録請求の範囲】
【請求項１】
一端側を吸引器本体の吸引管部に嵌着する大径取付筒部とし、他端側を耳穴に挿入する小径の吸い込み筒部とした軟質チューブ状のノズルであって、上記吸い込み筒部の先端側の外周面に、所定長さを有する複数の歯から成る軟質歯車状耳垢掻き出し部を配備したことを特徴とする耳垢吸引器用ノズル。
【請求項２】
上記耳垢掻き出し部は、平歯車状で各歯は所定長さを有する断面が略三角形状であって、且つ歯先端部が高く、歯基端部が低い傾斜状に設定されたことを特徴とする請求項１記載の耳垢吸引器用ノズル。
【請求項３】
上記耳垢掻き出し部は、長尺歯と短尺歯とを交互に配列して成り、隣り合う長尺歯の歯基端部間に開き空間部を設けたことを特徴とする請求項１又は請求項２記載の耳垢吸引器用ノズル。
【考案の詳細な説明】
【技術分野】
【０００１】
この考案は、耳垢をとり外耳道を清潔にするために使用される耳垢吸引器用ノズルに関する。
【背景技術】
【０００２】
一般に、耳垢の掃除をする場合は、先端に脱脂綿を巻きつけた「綿棒」或いは小さい杓子形の「耳掻き」が使用される。ところが、このような道具を使用して耳垢を取る場合は、耳穴内を比較的硬いもので強くこする結果、外耳道を傷つけたり、誤って耳奥の鼓膜を傷つけたりする虞れがある。
【０００３】
そこで、近年は、耳垢を吸引する耳垢吸引器が使用されている。この耳垢吸引器は、モーター、ファンを内蔵する硬質樹脂製吸引器本体に、細径の吸引管部を一体に突設したものである。
【０００４】
この吸引管部は、硬質製であり、耳穴への挿入が危険であるため、図７で示すような耳垢吸引器用ノズル６が使用される。この吸引器用ノズル６は、軟質合成樹脂の成形品で、チューブ状本体の一端部側を大径取付筒部６１とし、他端部側
を小径の吸い込み筒部６２に設定してある。
【０００５】
使用に際しては、大径取付筒部６１を吸引器本体の吸引管部に嵌着し、吸い込み筒部６２を耳穴に挿入する。吸引器本体の電源をオンすることで、耳穴内に溜まっている耳垢（耳道腺の分泌物、剥離した表皮）を吸い込み筒部６２の開口端より吸い取る。
【特許文献１】特開２００３−３１９８８８号公報
【考案の開示】
【考案が解決しようとする課題】
【０００６】
上記耳垢吸引器用ノズルは、極めて柔らかいチューブ状のノズルであり、外耳道を強く擦って耳垢を掻き出す必要がない。従って、耳穴内を傷める恐れが無い反面、チューブ状ノズルは極めて軟質であるから使用中に腰折れし、吸引効果が低下する不利があった。
【０００７】
更に、耳垢は性状に個人差がある。例えば乾燥した灰白色の乾型（粉耳）、或いは湿って粘りけのある湿型（飴耳）などが知られている。従来の耳垢吸引器用ノズルでは、乾いた浮いている粉耳は容易に吸引することができるものの、外耳道にこびりついた飴耳は吸い取り得ないなどの不利があった。
【０００８】
この考案は、以上のような課題を解消させ、柔らかくしかも腰折れすることがなく、乾型の耳垢は勿論、湿型の耳垢をも安全且つ衛生的に吸い取ることができる耳垢吸引器用ノズルを提供することを目的とする。
【課題を解決するための手段】
【０００９】
この目的を達成させるために、この考案の耳垢吸引器用ノズルでは、次のような構成としている。
【００１０】
耳垢吸引器用ノズルは、一端側を吸引器本体の吸引管部に嵌着する大径取付筒部とし、他端側を耳穴に挿入する小径の吸い込み筒部とした軟質チューブ状のノズルであって、上記吸い込み筒部の先端側の外周面に、所定長さを有する複数の歯から成る軟質歯車状耳垢掻き出し部を配備したことを特徴としている。
【考案の効果】
【００１１】
この考案では以上のように、軟質チューブ状ノズルの小径吸い込み筒部の外周面に、所定長さを有する複数の歯から成る軟質歯車状耳垢掻き出し部を配備することとしたから、耳垢掻き出し部がノズル（吸い込み筒部）の折れ曲がりを防止する補強リブ効果を発揮する。従って、従来のように使用中に吸い込み筒部が腰折れし吸引効果が低下する等の不利を解消し得る。
【００１２】
さらに、軟質吸い込み筒部は耳穴内において、対向状に位置する耳垢（乾型耳垢）を容易に吸い取る。また、耳垢掻き出し部を左右方向へ回動させることで、耳垢掻き出し部の軟質製の各歯の頂辺部が外耳道にこびりついた湿型（飴耳）耳垢を、外耳道壁から安全に解離させ得る。
【００１３】
また、解離（脱落）させた耳垢は、乾型耳垢の場合と同様に、吸い込み筒部位置を僅かに前後移動させ、耳垢に対し対向させることで、吸い込み筒部の開口端から耳垢を吸引して、連通する吸引器本体側の集塵ケース内へ滞留させ得る。
【００１４】
更に、歯車状耳垢掻き出し部の各歯は、後方（基端）側へ向けて下降傾斜する勾配状に設定してあるから、掻き出され歯車状掻き出し部の上に落下する耳垢は耳奥（鼓膜）とは反対側の取り出しやすい耳穴口側へ掻き出される結果となる。
【００１５】
また、歯車状耳垢掻き出し部の各歯は、長尺歯と短尺歯とを交互に配列して、隣合う長尺歯の基端間に大きな開き空間部を設けたから、各歯間の歯溝に嵌り込んだ耳垢は、この空き空間部から容易に取り出すことができる等、考案目的を達成した優れた効果を有する。
【考案を実施するための最良の形態】
【００１６】
以下、図面に基づき本考案に係る耳垢吸引器用ノズルの具体的な実施の形態を説明する。
図１は、耳垢吸引器用ノズルを示す斜視図である。
【００１７】
耳垢吸引器用ノズル２は、軟質合成趣旨材、例えば熱硬化性樹脂（ゴム状ケイ素樹脂・シリコンゴム）、或いは熱可塑性樹脂（ポリエチレン、ホリプロピレンなど）の軟質資材でチューブ状に成形される。
【００１８】
このノズル２は、比較的短尺なチューブ体の中央部から一端部側を大径取付筒部２１とし、他端部側を小径の吸い込み筒部２２としている。
【００１９】
図２及び図３で示すように、ノズル２は耳垢吸引器本体３に取付けられる。吸引器本体３は、電池３４を内蔵する握り部３Ａの上端部に、モータ３１、ファン３２、フィルター３３を備える頭部３Ｂを一体に突設したもので、この頭部３Ｂの開口面（フィルター３３臨出面）に吸引管部４１を突設したキャップ状集塵ケース４を脱着可能に取付けて構成している。
【００２０】
上記ノズル２の大径取付筒部２１の基端（後端）を、吸引管部４１に外嵌してノズルの貫通孔２Ａと集塵ケース４とを連通させる。図４で示すように、吸い込み筒部２２を耳孔に挿入して、吸引した耳垢７を集塵ケース４内に滞留させる。
この考案の特徴は、前記吸い込み筒部２２の先端側外周面に、一定長さを有する軟質の歯車状耳垢掻き出し部１を配備した点にある。
【００２１】
耳垢掻き出し部１は、実施の形態では、上記ノズル２と一体の軟質樹脂成形品として形成され、例えば８枚の歯から成る歯車状（平歯車状）で、複数の長尺歯１Ａと複数の短尺歯１Ｂとから成る。
【００２２】
各歯（長尺歯１Ａ、短尺歯１Ｂ）は、所定長さを有する断面が三角形状で、歯先端部１１の高さが高く、歯基端部１２が低くなる勾配状に形成している。これにより、各歯の頂辺部１６が後方（基端側）へ下降傾斜するように設定している。
【００２３】
また、長尺歯１Ａと短尺歯１Ｂは、歯先端部１１面を同一線上に揃えた状態で交互に配列してある。従って、各歯の基端側において、隣り合う長尺歯１Ａ、１Ａの歯基端部１２、１２間に大きな開き空間部１３が設けられている。
【００２４】
このような構成を有する耳垢吸引器用ノズルでは、図４で示すように、吸引器本体３の吸引管部４１にノズル２を装着して、耳穴にノズル（吸い込み筒部２２）２を挿入する。吸引器本体３の吸引動作を開始すると、吸い込み筒部２２の開口端面に対応位置する耳垢７が吸い取られる。
【００２５】
一方、外耳道にこびりついた湿型耳垢に対しては、ノズル（吸い込み筒部２２）を左右方向へ回動させる。これにより、吸い込み筒部２２外周面の歯車状耳垢掻き出し部１の各歯の歯頂辺部１６が湿型耳垢７に対し角度をもって擦り動作を加えて剥がれさせる。
【００２６】
剥がれた耳垢７は、歯車状耳垢掻き出し部（長・短尺歯１Ａ・１Ｂ）１上面に位置する。各歯１Ａ、１Ｂは、後方へ下降傾斜している。従って、耳垢７は外耳道の前方、つまり耳奥の鼓膜側ではなく、外耳道の入り口側へ導き出され容易に吸引（取り出し）し得る。
一方、剥がれた耳垢７が各歯間の歯溝部１７に位置した場合は、隣合う長尺歯１Ａ、１Ａ間の開き空間部１３から容易に排出することができる。かくして、簡単な操作で、清潔且つ安全に耳垢掃除ができ、外耳道を清潔に保持し得る。
【００２７】
図５は、集塵ケース部を内蔵する吸引器本体３と、吸引管部４１とが別体であるタイプの耳垢吸引器に本案ノズル２を実施した例を示す斜視図である。
【００２８】
吸引器本体３は、長尺なチューブ３５を介して操作用把持部３６と連通し、この操作用把持部３６に吸引管部４１が突設してある。ノズル２は、この吸引管部４１に嵌着して使用する。この場合、操作用把持部３６が小型であるため、耳穴内でノズル２の微妙な前後動操作・回動操作が容易となる。
【００２９】
図６は、歯車状耳垢掻き出し部１の他の実施の形態を示す斜視図である。
先の実施の形態では、耳垢掻き出し部１は所謂平歯車形状とした例を示したが、この実施の形態では、軸に対して歯を斜めに設定した所謂はすば歯車状とし、長尺ハス歯１４ａと短尺ハス歯１４ｂとで構成している。この場合、歯が傾いている分だけ、外耳道に対する回動が滑らかになり、且つこびりつく耳垢に対する擦り圧も大きくなり、掻き出し効果が一層向上する。
【図面の簡単な説明】
【００３０】
【図１】実施の形態の耳垢吸引用ノズルを示す斜視図である。
【図２】吸引器本体とノズルとの取付け関係を示す斜視図である。
【図３】吸引器本体にノズルを取付けた状態を示す断面図である。
【図４】耳垢吸引器用ノズルの使用状態を示す斜視図である。
【図５】他の吸引器本体にノズルを取付た状態を示す斜視図である。
【図６】耳垢掻き出し部の他の実施の形態を示す斜視図である。
【図７】従来の耳垢吸引器用ノズルを示す斜視図であるる。
【符号の説明】
【００３１】
１      耳垢掻き出し部
２      ノズル
３      吸引器本体
１Ａ    長尺歯
１Ｂ    短尺歯
１１    歯先端部
１２    歯基端部
１３    開き空間部
１６    歯頂辺部
１７    歯溝部
２１    大径取付筒部
２２    吸い込み筒部
４１    吸引管部
【図１】
0003137475.tif 000003
【図２】
0003137475.tif 000004
【図３】
0003137475.tif 000005
【図４】
0003137475.tif 000006
【図５】
0003137475.tif 000007
【図６】
0003137475.tif 000008
【図７】
0003137475.tif 000009